(57)【要約】【課題】フィルムの画像印刷を的確に行うことができる複合機を提供する。【解決手段】ＳＰＣ複合装置１は、原稿の画像を読み取る機能に加え、フィルム３０から複数コマの画像を読み取って画像データを生成するためのフィルムスキャナ機能を有するスキャナ部２と、その画像データに基づいてフィルム３０の画像を印刷するプリンタ部３とを一体として具備する。プリンタ部３は、スキャナ部２がフィルム３０から読み取った各コマの画像データに基づいて、各コマの画像を一覧表示したインデックスシートを印刷する。スキャナ部２がインデックスシートを読み取ることでユーザが選択した選択情報を抽出し、プリンタ部３がその選択情報に対応する所定の画像を写真印刷する。【選択図】      図２
2005086633.tif 000002
【特許請求の範囲】
【請求項１】
原稿の画像を読み取る機能に加え、フィルムから複数コマの画像を読み取って画像データを生成するためのフィルムスキャナ機能を有するスキャナ部と、
前記画像データに基づいて媒体に前記フィルムの画像を印刷するためのプリンタ部と
を一体として具備する複合機であって、
前記プリンタ部は、前記スキャナ部がフィルムから読み取った各コマの画像データに基づいて、各コマの画像を一覧表示するとともに、前記各コマの画像の印刷をユーザに選択させるためのコマ選択欄を有する選択用のシートを印刷し、前記フィルムを読み取るスキャナ部が前記シートを読み取ることで、前記コマ選択欄の選択情報を抽出するとともに、前記プリンタ部がその選択情報に対応する所定の画像を前記媒体に印刷することを特徴とする複合機。
【請求項２】
前記フィルムを読み取って生成した各コマの画像データを格納するメモリを備え、前記プリンタ部は、該メモリの画像データを用いて前記画像を印刷することを特徴とする請求項１に記載の複合機。
【請求項３】
前記スキャナ部は、前記シートの読み取りと同時に前記フィルムの各コマの画像を読み取ることを特徴とする請求項１又は２に記載の複合機。
【発明の詳細な説明】
【技術分野】
【０００１】
本発明は、複数の機能を有する複合装置に関するものである。
【背景技術】
【０００２】
最近、ＰＣからスキャン指示を行うネットワークスキャン機能（Scanner ）、ＰＣから印刷指示を行うネットワークプリンタ機能（Printer ）、ローカルコピー機能(Copy)など複数機能を有するスキャナ一体型のプリンタ（ＳＰＣ複合装置）は、比較的安価なものが実用化されており、一般家庭に普及しつつある。このＳＰＣ複合装置は、パソコンやデジタルカメラ等を接続してプリンタとして利用されるのに加え、パソコン等を接続せずにコピー機としても利用されている。また、ＳＰＣ複合装置には、写真フィルムの画像を取り込むことが可能なフィルムスキャナ機能を持ち、フィルムの画像を印刷することができる機種もある。
【０００３】
ところで、フィルムスキャナ機能を持つ複合装置をパソコンに接続する場合、パソコン上でアプリケーションソフトを実行し、取り込んだフィルムの画像をパソコン画面で確認することによって、所望の画像を写真印刷することが可能となっている。一方、ＳＰＣ複合装置にパソコンを接続しないでＳＰＣ複合装置のみでフィルムの画像を写真印刷する場合、フィルムの画像の取り込み不良を容易に判定することができないため、不要な写真をミスプリントしてしまうといった問題が生じていた。
【０００４】
従来、そのミスプリントを防止する目的で、ＳＰＣ複合装置に備えられたディスプレイに取り込み画像を表示し、各コマの画像がうまく取り込めたか否かを確認した後、写真印刷する方法が提案されている。この場合、操作パネルの各種ボタンを操作しフィルムから取り込んだ１コマ、１コマの画像を確認する必要があるため、その確認作業が面倒となる。また、画像の確認を的確に行うために、ディスプレイを高画質にしたり、カラー表示にしたりすることが必要となるため、ＳＰＣ複合装置の製造コストが嵩むといった問題も生じてしまう。
【０００５】
また、特許文献１には、フィルムに記憶された写真画像をユーザの希望に応じて印刷する画像処理装置が提案されている。この画像処理装置においては、フィルムの各コマを読み取るフィルムスキャナとフィルムのコマ選択を行うためのシート（ログインシート）を読み取るドキュメントスキャナとが別々に用意されている。
【０００６】
さらに、特許文献２，３には、デジタルカメラの記憶媒体に記憶された画像データを取り込むことで、複数の画像の縮小画像リストを表示した選択シートを印刷し、該シートの選択情報に基づいて所望の画像を写真印刷する装置が提案されている。なお、これら特許文献２，３には、写真フィルムの画像を印刷するための技術は開示されていない。
【特許文献１】特開平１０−５１５７６号公報
【特許文献２】特開２００２−１３７４９９号公報
【特許文献３】特開２００２−５１２８３号公報
【発明の開示】
【発明が解決しようとする課題】
【０００７】
上記特許文献１の画像処理装置において、それぞれ別体として存在する複数のスキャナ部とプリンタ部とを接続するものであり、フィルムから所望の画像を媒体に印刷した形式で得るために煩雑な手続きが必要となってしまう。
【０００８】
本発明は上記問題点を解決するためになされたものであって、その目的は、フィルムの画像の印刷を的確に行うことができる複合機を提供することにある。
【課題を解決するための手段】
【０００９】
上記目的を達成するため、本発明は、原稿の画像を読み取る機能に加え、フィルムから複数コマの画像を読み取って画像データを生成するためのフィルムスキャナ機能を有するスキャナ部と、前記画像データに基づいて媒体に前記フィルムの画像を印刷するためのプリンタ部とを一体として具備する複合機であって、前記プリンタ部は、前記スキャナ部がフィルムから読み取った各コマの画像データに基づいて、各コマの画像を一覧表示するとともに、前記各コマの画像の印刷をユーザに選択させるためのコマ選択欄を有する選択用のシートを印刷し、前記フィルムを読み取るスキャナ部が前記シートを読み取ることで、前記コマ選択欄の選択情報を抽出するとともに、前記プリンタ部がその選択情報に対応する所定の画像を前記媒体に印刷する。
【００１０】
これによれば、スキャナ部がフィルムから読み取った各コマの画像データに基づいて、プリンタ部により、該各コマの画像を一覧表示するとともに、各コマの画像の印刷をユーザに選択させるためのコマ選択欄を有する選択用のシートが印刷される。そして、スキャナ部によってそのシートの読み取りを行うことにより、コマ選択欄の選択情報が抽出されてユーザが選択した所定の画像がプリンタ部から印刷される。従って、複合機にパソコン等を接続しなくても、フィルムの所望の画像を的確に印刷することができる。また、この複合機では、フィルムの読み取りと選択用のシートの読み取りとを同じスキャナ部で行うことができるため、従来技術のように煩雑な手続きも不要である。
【００１１】
この複合機において、前記フィルムを読み取って生成した各コマの画像データを格納するメモリを備え、前記プリンタ部は、該メモリの画像データを用いて前記画像を印刷する。
【００１２】
これによれば、フィルムから読み取った画像データがメモリに記憶され、その画像データを用いて、選択用のシートにおける画像と前記媒体の画像の印刷を行うことができる。
この複合機において、前記スキャナ部は、前記シートの読み取りと同時に前記フィルムの各コマの画像を読み取る。
【００１３】
これによれば、フィルムから読み取った全コマの画像データをメモリに記憶する必要がなく、メモリの記憶容量を抑制することができる。
【発明を実施するための最良の形態】
【００１４】
以下、本発明を複合機に具体化した一実施形態を、図１〜図５に従って説明する。
図１は、本実施形態の複合機を示す斜視図であり、図２は、原稿台カバーを開いた状態の複合機を示す斜視図である。
【００１５】
本実施形態の複合機は、ＰＣからスキャン指示を行うネットワークスキャン機能（Scanner ）、ＰＣから印刷指示を行うネットワークプリンタ機能（Printer ）、ローカルコピー機能(Copy)など複数機能を有する複合装置（以下、ＳＰＣ複合装置という）である。図１及び図２に示すように、ＳＰＣ複合装置１は、原稿又は写真フィルムの画像を読み取って画像データとして入力するためのスキャナ部２と、画像データに基づいて画像を用紙等の媒体に印刷するプリンタ部３と、ユーザが操作するための操作パネル部４とを備える。ＳＰＣ複合装置１において、スキャナ部２で読み取った画像データがプリンタ部３に送信され内部の処理回路で印刷データに変換され、その印刷データに基づく画像が用紙に印刷されることでローカルコピー機能が実現される。
【００１６】
スキャナ部２はプリンタ部３の上に配置されており、そのスキャナ部２の上部には、読み取る原稿を載置するための例えばＡ４版の原稿台ガラス６と、原稿又はフィルムを読み取る際や不使用時に原稿台ガラス６を覆う原稿台カバー７とが設けられている。原稿台カバー７は、開閉可能に形成され、閉止した際には原稿台ガラス６上に載置された原稿を原稿台ガラス６側に押圧する機能も有している。
【００１７】
また、ＳＰＣ複合装置１の背面側にはプリンタ部３へ用紙を供給するための用紙供給部１１が設けられ、その用紙供給部１１には、カット紙（図示しない）を保持する給紙トレー１２が備えられている。ＳＰＣ複合装置１の前面側の下部に、プリンタ部３で印刷された用紙を排紙する排紙部１３が設けられ、その排紙部１３には、不使用時に排紙口を塞ぐことが可能な排紙トレー１４が備えられている。さらに、排紙部１３の上部に操作パネル部４が設けられている。なお、本実施形態においては、前記カット紙の最大用紙サイズとしてＡ４版を例に説明するが、これは一例であり、何等これに限るものではない。
【００１８】
操作パネル部４のほぼ中央には、液晶ディスプレイ１６が設けられている。液晶ディスプレイ１６は、設定項目や設定状態、動作状態等を文字にて表示することが可能であるとともに、スキャナ部２で読み取った画像を表示することも可能となっている。この液晶ディスプレイ１６の左側には、電源ボタン１７と、スキャンボタン１８と、設定表示ボタン１９と、クリアボタン２０とが設けられている。
【００１９】
電源ボタン１７は、ＳＰＣ複合装置１の電源を投入、遮断するためのボタンである。スキャンボタン１８は、スキャナ部２による原稿又はフィルムの読み取りを開始させるためのボタンである。設定表示ボタン１９は、ユーザにより設定されたコピー機能に対する設定状態を液晶ディスプレイ１６に表示させるためのボタンである。クリアボタン２０は、コピー機能に対する設定をクリアし、各設定項目をデフォルト値に変更するためのボタンである。
【００２０】
液晶ディスプレイ１６の右側には、カラーコピーボタン２２と、モノクロコピーボタン２３と、ストップボタン２４と、コピー枚数設定ボタン２５（２５ａ，２５ｂ）とが設けられている。カラーコピーボタン２２はカラーコピーを開始させるためのボタンであり、モノクロコピーボタン２３はモノクロコピーを開始させるためのボタンである。従って、これらのコピーボタン２２，２３は、コピー動作の開始指示と、出力すべき画像がカラー又はモノクロのいずれであるかを選択する選択手段とを兼ねている。ストップボタン２４は、一旦開始したコピー動作を中止させるためのボタンである。コピー枚数設定ボタン２５は、表面に「＋」又は「−」が表記された２つのボタン２５ａ，２５ｂで構成され、「＋」ボタン２５ａを押すことにより設定枚数が増加され、「−」ボタン２５ｂを押すことにより設定枚数が減少される。
【００２１】
液晶ディスプレイ１６の手前側には、液晶ディスプレイ１６に表示される設定項目を切り替えるメニューボタン２６が設けられている。メニューボタン２６は、左右に配置された２つのボタンで構成され、それぞれ左向きの矢印または右向きの矢印が表記されている。左右いずれかのメニューボタン２６が押される毎に、表示される設定項目が決められた順に順次切り替わり、一通り表示し終わると最初の設定項目が表示される。左右の矢印は、設定項目を表示する順番を変更するためであり、両ボタン２６は、互いに他のボタンを押した際の表示順と逆の順番で設定項目を表示する。
【００２２】
また、排紙部１３の右側には、メモリカードスロット２７が設けられている。このメモリカードスロット２７は、例えばＰＣＭＣＩＡ規格に準拠しており、このような規格に準拠したメモリカード２８が着脱可能に構成されている。メモリカード２８は、書き換え可能な不揮発性のメモリを内蔵しており、そのメモリカード２８にスキャナ部２で読み取った画像データが保存される。
【００２３】
プリンタ部３は、カラー画像の出力が可能な構成であり、例えば、シアン（Ｃ）、マゼンタ（Ｍ）、イエロ（Ｙ）、ブラック（Ｋ）の４色の色インクを、印刷用紙等の媒体上に吐出してドットを形成することによって画像を形成するインクジェット方式を採用している。なお、色インクとして、上記４色に加えて、ライトシアン（薄いシアン、ＬＣ）、ライトマゼンタ（薄いマゼンタ、ＬＭ）、ダークイエロ（暗いイエロ、ＤＹ）を用いてもよい。
【００２４】
図２に示すように、本実施形態のＳＰＣ複合装置１には、原稿台カバー７において原稿台ガラス６に対向する内側面に、フィルム３０を固定するフィルム固定部３１が設けられている。また、原稿台カバー７においてフィルム固定部３１が設けられている部位には、フィルム３０に光を照射するための発光部３２が埋設されている。この発光部３２からの光をフィルム３０に照射し、そのフィルム３０を透過した透過光をスキャナ部２に設けたＣＣＤ（電荷結合素子）で検出することでフィルム３０の画像を読み取るフィルムスキャナ機能を実現している。なお、スキャナ部２において、原稿台ガラス６に載置した原稿を読み取るためのスキャン動作を行う際には、スキャナ部２の内部に設けた発光部（図示略）から原稿台ガラス６を通して原稿に光を照射し、原稿による反射光をＣＣＤで検出することで原稿の記載内容（画像または文章等）を読み取る。
【００２５】
図３は、ＳＰＣ複合装置１の電気的構成を示すブロック図である。なお、図３には、コピー機能を実現するための回路構成を記載しており、パソコン等に接続してプリンタやスキャナとして機能する場合に必要となるインターフェース回路や処理回路等は省略している。
【００２６】
ＳＰＣ複合装置１は、プリンタ部３のケース内に全体的な制御を司るメイン基板（図示略）を備える。このメイン基板には、ＣＰＵ組み込みＡＳＩＣ（Application Specific ＩＣ）４１、プログラムＲＯＭ４２、第１のＳＤＲＡＭ４３、及び第２のＳＤＲＡＭ４４が実装されている。
【００２７】
ＡＳＩＣ４１は、ＣＰＵ４５、スキャナ入力回路４６、画像処理回路４７、メモリカード入出力回路４８、及びヘッド制御ユニット４９が内蔵されており、それらはＡＳＩＣ４１上の内部バス４１ａに接続されている。また、その内部バス４１ａには、ＡＳＩＣ４１に外付けされるプログラムＲＯＭ４２と第１のＳＤＲＡＭ４３と操作パネル部４とが接続されている。プログラムＲＯＭ４２には、ＣＰＵ４５により実行される制御プログラムなどが記憶されている。第１のＳＤＲＡＭ４３には、制御プログラムを実行して処理する画像データや印刷データなどが一時的に記憶される。
【００２８】
第２のＳＤＲＡＭ４４は、スキャナ入力回路４６と画像処理回路４７に接続されており、各回路４６，４７における処理の前後の画像データや印刷データが一時的に格納される。この第２のＳＤＲＡＭ４４には、複数のメモリ領域（ラインバッファ４４ａ、マイクロウィーブ(Micro Weave)バッファ４４ｂ、イメージバッファ４４ｃ等）が確保されている。
【００２９】
スキャナ入力回路４６にはスキャナ部２が接続されている。スキャナ部２は、原稿台ガラス６に載置された原稿、又はフィルム固定部３１に固定されたフィルム３０を光学的に読み取ってＣＣＤ（電荷結合素子）２ａに蓄えられた電荷を、Ａ／Ｄ変換回路２ｂによってＡ／Ｄ変換する。そして、スキャナ部２は、Ａ／Ｄ変換されたデータをＡＳＩＣ４１のスキャナ入力回路４６に入力する。
【００３０】
スキャナ入力回路４６は、ＣＰＵ４５の制御の下、スキャナ部２から入力される各ラスタラインデータ（ＲＧＢの多階調画像データ）をＳＤＲＡＭ４４のラインバッファ４４ａに一旦蓄える。そして、スキャナ入力回路４６は、このラインバッファ４４ａに取り込んだＲＧＢデータに対してライン間補正処理を順次施し、同一ラインに対するＲＧＢデータとして画像処理回路４７に送る。なお、ライン間補正処理とは、スキャナ部２の構造上発生するＲ、Ｇ、Ｂの各リニアセンサ間の読み取り位置のズレを補正する処理である。詳述すると、スキャナ部２が有するＣＣＤ２ａは、Ｒ（レッド）、Ｇ（グリーン）、Ｂ（ブルー）の３色に対し色毎に１ラインずつのリニアセンサを有している。これら３本のリニアセンサは、読取キャリッジ（図示略）の走査方向に平行に並べられているため、原稿の同一ラインに照射された反射光を同時に受光することができない。すなわち、原稿の同一ラインに照射された反射光が各リニアセンサに受光される際には、時間的なズレが生じることになる。このため、リニアセンサの配列に伴う遅延時間分だけ遅れて送られてくるデータを同期させるための処理である。
【００３１】
また、スキャナ入力回路４６は、ライン間補正処理と並行して、ＲＧＢデータの読み取り解像度［ｄｐｉ］を、プリンタ部３が印刷するための印字解像度［ｄｐｉ］に変換する解像度変換処理も行う。つまり、ＲＧＢデータの読み取り解像度が、印字解像度よりも低い場合には、線形補間等を行って隣接するデータ間に新たなデータを生成し、逆に印字解像度よりも高い場合には、一定の割合でデータを間引く等して、ＲＧＢデータの解像度を印字解像度に揃える。尚、これは拡大若しくは縮小コピーする際にも同様である。
【００３２】
画像処理回路４７は、解像度変換処理が施された画像データを取り込み、色変換、ハーフトーン処理、マイクロウィーブ処理などの画像処理を行う。色変換処理は、ＲＧＢの多階調画像データから、ＣＭＹＫの４色の多階調画像データに変換する処理である。ハーフトーン処理は、多階調データを面積階調データに変換する処理である。マイクロウィーブ処理は、行間の縞（バンディング）を防止すべく、ドットラインの形成方法を調節する処理である。
【００３３】
この画像処理回路４７において、マイクロウィーブ処理が施されたデータはマイクロウィーブバッファ４４ｂに格納される。さらに、画像処理回路４７は、そのバッファ４４ｂに格納したデータを所定のサイズ毎に読み出して、諸情報（例えば、各色毎のノズル数、ヘッド走査回数など）に基づき並び替えた後、イメージバッファ４４ｃに転送する。このデータ転送の結果、イメージバッファ４４ｃには、プリンタ部３に設けられた書込キャリッジ（図示略）の走査毎の各ノズルにインクを吐出させるためのヘッド駆動データが格納される。
【００３４】
イメージバッファ４４ｃに記憶された走査毎のヘッド駆動データ（印刷データ）はＣＰＵ４５によって読み出され、ヘッド制御ユニット４９に転送される。ヘッド制御ユニット４９は、ＣＰＵ４５の制御によりヘッド駆動データに基づいてプリンタヘッド５０を駆動し、インク滴の吐出の有無や、吐出するインク滴の量を制御する。これによって、スキャナ部２が読み取った画像に対するコピー印刷が実現される。
【００３５】
また、ＳＰＣ複合装置１において、フィルムスキャン機能によりフィルム３０から読み取られた画像データは、スキャナ入力回路４６からＣＰＵ４５に取り込まれ、ＣＰＵ４５の制御によって各コマの画像毎に切り出される。そして、各コマの画像データとしてメモリカード入出力回路４８を介してメモリカード２８に保存される。またこのとき、フィルム３０から読み取った各コマの画像データを利用して、図５に示すインデックスシート（Ａ４サイズの普通紙に各画像を縮小して一覧表示したシート）５１が印刷される。
【００３６】
具体的に、インデックスシート５１には、フィルム３０の各コマの画像５２がインデックス形成で印刷されており、その各コマの画像５２の下方には、楕円状のコマ選択欄５３が設けられている。ユーザがこのコマ選択欄５３を黒く塗りつぶすことで、写真印刷する画像を選択することができる。また、インデックスシート５１の下側の領域には、印刷サイズを指定するための複数のサイズ指定欄５４が設けられている。このサイズ指定欄５４もコマ選択欄５３と同様に楕円状をなし、黒く塗りつぶすことにより、印刷する写真紙のサイズを指定することができる。なお、写真紙のサイズとしては、例えば、Ｌ判サイズ、２Ｌ判サイズ、Ａ４サイズ、ハガキサイズの４種類である。さらに、インデックスシート５１の右上には、取り込み画像との整合をとるために利用するシートコード５５が印刷されている。
【００３７】
図４は、フィルム３０から読み取った画像を印刷するための処理（フィルムスキャン及び印刷処理）を説明するためのフローチャートである。
先ず、ユーザは、原稿台カバー７のフィルム固定部３１にフィルム３０をセットするとともに、用紙供給部１１の給紙トレー１２にＡ４サイズの普通紙をセットした後、操作パネル部４のメニューボタン２６を操作してフィルム３０の画像を写真印刷するための動作モードを設定する。その後、ユーザがスキャンボタン１８をオンした時に、図４の処理が開始される。
【００３８】
ユーザによるスキャンボタン１８の操作に基づいて、操作パネル部４から操作信号がＣＰＵ４５に入力されると、ＣＰＵ４５は、ステップ１００において、制御信号をスキャナ部２に出力し、スキャナ部２にフィルムスキャンを実行させる。すなわち、スキャナ部２は、ＣＰＵ４５からの制御信号に応答して、原稿台カバー７に設けた発光部３２を点灯させて、フィルム３０を光学的に読み取る。このとき、所定の周期にてＣＣＤ２ａから出力されるＲＧＢデータがスキャナ入力回路４６を介してＳＤＲＡＭ４４のラインバッファ４４ａに一旦蓄えられ、そのＲＧＢデータに対してライン間補正処理が施される。
【００３９】
ステップ１１０において、ＣＰＵ４５は、その補正処理後のデータを取り込み、フィルム３０の画像がある位置を認識するための領域判定を行うとともに、その領域判定によりコマ毎の画像データを生成して、メモリカード入出力回路４８を介してメモリカード２８に保存する。
【００４０】
続く、ステップ１２０において、ＣＰＵ４５は、各コマの画像データに基づいてインデックスシート５１（図５参照）を印刷する。つまり、画像処理回路４７において、各コマの画像データに対して画像処理を行い、画像データからインデックスシート５１を印刷するための印刷データに変換する。そして、ＣＰＵ４５は、その変換後の印刷データをヘッド制御ユニット４９に転送し、該印刷データに基づいてプリンタヘッド５０を駆動することでインデックスシート５１を印刷する。
【００４１】
ステップ１３０において、ＣＰＵ４５は、ステップ１００で行われたフィルムスキャンをキャンセルするのか、フィルム３０の写真印刷を実行するのかをユーザに選択させるための選択画面を液晶ディスプレイ１６に表示させる。具体的に、その選択画面には、例えば「フィルムスキャンをキャンセルする場合は、クリアボタンを選択してください。」、「写真印刷を実行する場合は、印刷画像の選択欄を塗りつぶしたインデックスシートをスキャナにセットし、コピーボタンを選択してください」といったメッセージを表示する。
【００４２】
ここで、ユーザは、印刷されたインデックスシート５１を確認し、写真印刷を希望する画像（気に入った画像）が無い場合や、フィルム３０のセットがずれて、フィルム３０の画像が正常に読み込めなかった場合には、クリアボタン２０をオンする。一方、インデックスシート５１に印刷した各画像の少なくとも１つのコマの写真印刷をユーザが希望する場合には、それに対応したコマ選択欄５３とサイズ指定欄５４を選択する（黒く塗りつぶす）。その後、ユーザは、インデックスシート５１を原稿台ガラス６に載置するとともにサイズ指定欄５４で指定したサイズの写真紙を用紙供給部１１の給紙トレー１２にセットした後、コピーボタン２２をオンする。
【００４３】
ステップ１４０において、ＣＰＵ４５は、ユーザによるボタン操作を判定し、クリアボタン２０がオンされた場合には、ステップ１５０に移行して、ステップ１１０で保存した画像データをメモリカード２８から削除した後、本処理を終了する。なお、このステップ１５０の処理後において、フィルムスキャンの再実行を促すメッセージを液晶ディスプレイ１６に表示し、そのメッセージを見たユーザがスキャンボタン１８をオンしたときにステップ１００に戻り、ステップ１００以降の処理を再開するよう構成してもよい。
【００４４】
また、ステップ１４０において、クリアボタン２０ではなく、コピーボタン２２がオンされた場合、ＣＰＵ４５は、ステップ１６０に移行して、制御信号をスキャナ部２に出力し、スキャナ部２により原稿台ガラス６上に載置されたインデックスシート５１をスキャンさせる。このとき、スキャナ部２の内部から原稿台ガラス６を通してインデックスシート５１に光が照射され、該インデックスシート５１による反射光がＣＣＤ２ａで検出され、Ａ／Ｄ変換回路２ｂにて変換された読み取りデータがスキャナ部２から出力される。
【００４５】
そして、ＣＰＵ４５はその読み取りデータをスキャナ入力回路４６を介して取り込み、該データに基づいてインデックスシート５１のシート情報を抽出する。このシート情報としては、各画像５２に対応するコマ選択欄５３及び印刷サイズを指定するサイズ指定欄５４が黒く塗りつぶされているか否かといった選択情報やシートコード５５の情報を含む。
【００４６】
ステップ１７０において、ＣＰＵ４５は、各コマ選択欄５３の選択情報に基づいて印刷するコマを判定し、ステップ１８０では、その判定結果に基づいて写真印刷の処理を実行する。具体的に、ＣＰＵ４５は、シートコード５５と各コマ選択欄５３の選択情報とに基づいて、メモリカード２８に保存した画像データのうちで印刷対象となる画像データを決定し、その画像データを読み出して画像処理回路４７に送るとともに、サイズ指定欄５４の選択情報に対応する印刷サイズを画像処理回路４７に通知する。これにより、画像処理回路４７では、印刷サイズに応じた画像処理が実施され、その印刷サイズに応じた印刷データが生成される。ＣＰＵ４５は、その印刷データをヘッド制御ユニット４９に送り、該印刷データに基づいてプリンタヘッド５０を駆動することで、インデックスシート５１のコマ選択欄５３で選択された画像の写真印刷を行う。ここで、複数のコマ選択欄５３が選択されていた場合、それら選択された全コマの画像について、各画像データが順次印刷データに変換されて、該印刷データに基づいて写真印刷が行われる。
【００４７】
以上記述したように、本実施の形態によれば、以下の効果を奏する。
（１）スキャナ部２のフィルムスキャナ機能によって、写真フィルム３０の画像が読み取られ、各コマの画像を一覧表示したインデックスシート５１が印刷される。そして、ユーザによって、インデックスシート５１における各コマの画像５２が確認され、所望の画像５２のコマ選択欄５３が選択された後、インデックスシート５１がスキャナ部２で読み取られる。その読み取り結果に基づいて、インデックスシート５１で選択した画像のみがプリンタ部３で写真印刷される。このようにすれば、ＳＰＣ複合装置１にパソコン等を接続しなくても、写真フィルム３０の画像を的確に印刷することができる。つまり、従来技術のように、１コマ１コマをディスプレイに表示させるためのボタン操作等の煩雑な作業を行う必要がなく、ミスプリントを確実に防止することができる。そして、そのミスプリントを防止することにより、印刷時間や用紙が無駄になるといった問題も解消できる。また、フィルム３０の読み取りとインデックスシート５１の読み取りとを同じスキャナ部２で行うことができるため、特許文献１の画像処理装置のように、フィルムから所望の画像を印刷するための煩雑な手続きも不要である。
【００４８】
（２）フィルム３０から読み取った画像データがメモリカード２８に記憶され、その画像データを用いて、インデックスシート５１における画像５２の印刷と写真紙への画像の印刷を行うことができる。
【００４９】
（３）インデックスシート５１には、シートコード５５が印刷されており、そのシートコード５５を用いて、シートコード５５の画像とメモリカード２８に保存した各画像データとの整合をとることができる。このようにすると、メモリカード２８に保存した画像データとは異なる別のインデックスシート５１が誤ってスキャナ部２にセットされた場合にも、それを認識することができ、ミスプリントを防止できる。
【００５０】
（４）インデックスシート５１には、写真印刷の用紙サイズを指定するサイズ指定欄５４が設けられ、そのサイズ指定欄５４を選択すれば、所望の印刷サイズで写真印刷を行うことができる。
【００５１】
（５）インデックスシート５１は、Ａ４の普通紙に印刷されるものであり、その印刷のためのコストを抑えることができる。また、インデックスシート５１に各コマの画像５２が縮小印刷され、その印刷解像度は写真印刷をする場合よりも低いため、インデックスシート５１の印刷時間や印刷コストを抑えることができる。
【００５２】
尚、上記実施の形態は、以下の態様で実施してもよい。
・上記実施形態では、インデックスシート５１としてＡ４サイズの普通紙を用いるものであったが、これに限定されるものではない。インデックスシート５１としては、Ａ４サイズよりも小さい普通紙を用いてもよい。具体的に、Ｂ６サイズ等の小さい用紙を用いる場合、図６に示すように、Ａ４版の原稿台ガラス６上にて、フィルム３０の読み取り位置と重ならないようにインデックスシート５１ａを載置すれば、インデックスシート５１ａの読み込みとフィルム３０の画像の読み込みとを同時に実施することが可能となる。この場合には、上記実施形態のように、フィルム３０の全コマの画像データをメモリカード２８に保存する必要がなくなるため、メモリカード２８の記憶容量が不足するときにも写真印刷を実現することができる。
【００５３】
・上記実施形態では、フィルム３０から読み取った各コマの画像データをメモリカード２８に保存していたが、第２のＳＤＲＡＭ４４等の内部メモリに記憶してもよい。
・図４のステップ１１０において、メモリカード２８に画像データを保存する際に、該メモリカード２８の記憶可能なメモリ容量を確認し、メモリ容量が不足する場合には、メモリカード２８の交換を促すメッセージを液晶ディスプレイ１６に表示させるようにしてもよい。
【００５４】
また、図４のステップ１７０におけるコマの判定処理に先立ち、シートコード５５の情報を参照して、インデックスシート５１がフィルム３０（メモリカード２８の画像データ）に対応するシートであるか否かの判定を行ってもよい。そして、シートコード５５の情報に基づいてフィルム３０との整合がとれなかった場合には、ユーザが誤って別のインデックスシートをセットした旨を液晶ディスプレイ１６に表示し、正しいインデックスシート５１の再読み取りを行うように構成する。このようにすれば、誤ったインデックスシートに基づいて不要な写真が印刷されることを防止することができる。
【００５５】
・インデックスシート５１にサイズ指定欄５４を設け、該サイズ指定欄５４の選択情報によって写真紙のサイズを指定するものであったが、操作パネル部４のボタン操作によって、写真紙のサイズを指定するように変更してもよい。なおこの場合、インデックスシート５１においてサイズ指定欄５４は省略される。
【００５６】
上記実施形態から把握される技術的思想を以下に記載する。
（１）前記選択用のシートには、前記フィルムの画像と前記メモリに記憶した画像データとの整合をとるためのシートコードが印刷されることを特徴とする請求項２に記載の複合機。
【００５７】
（２）前記選択用のシートには、前記媒体の印刷サイズを指定するサイズ指定欄が印刷されることを特徴とする請求項１〜３のいずれかに記載の複合機。
（３）前記媒体として写真紙を用い、前記選択用のシートには前記写真紙よりも安価な普通紙を用いることを特徴とする請求項１〜３のいずれかに記載の複合機。
【００５８】
（４）前記選択用のシートに印刷される各コマの画像は、前記媒体に印刷される画像の印刷解像度よりも低い解像度であることを特徴とする請求項１〜３のいずれかに記載の複合機。
【図面の簡単な説明】
【００５９】
【図１】本実施形態のＳＰＣ複合装置を示す斜視図。
【図２】スキャナ部のカバーを開いた状態のＳＰＣ複合装置を示す斜視図。
【図３】ＳＰＣ複合装置の電気的構成を示すブロック図。
【図４】フィルムの画像を印刷するための処理を示すフローチャート。
【図５】インデックスシートを示す説明図。
【図６】原稿台ガラスにおけるフィルムとインデックスシートの位置を示す説明図。
【符号の説明】
【００６０】
１…ＳＰＣ複合装置、２…スキャナ部、３…プリンタ部、２８…メモリカード、３０…フィルム、５１，５１ａ…選択用のシートとしてのインデックスシート、５２…画像、５３…コマ選択欄。
【図１】
2005086633.tif 000003
【図２】
2005086633.tif 000004
【図３】
2005086633.tif 000005
【図４】
2005086633.tif 000006
【図５】
2005086633.tif 000007
【図６】
2005086633.tif 000008